(57)【要約】      （修正有）【課題】緊急時にベッドに臥床している人を、移し換えることなく、避難移送させるための担架として使用可能なシーツを提供する。【解決手段】ベッド用のパッドの表面と同形のシーツ本体１と、その長手方向の両縁部に備えた両縁部で折り返し可能な２つのシーツ側片２ａ、２ｂと、シーツ本体の足下縁部に備えた足下縁部で折り返し可能な１つのシーツ下端片３とからなり、シーツ本体の底面の長手方向の両側部に縫着による担架棒を挿入できる２つの筒状部４ａ、４ｂを備え、２つのシーツ側片の裏面には互いに締着する留め具５ａ、５ｂを取り付け、シーツ下端片及びシーツ側片の裏面にはシーツ下端片とシーツ側片を締着する留め具６ａ、６ｂをそれぞれ取り付けてシーツとする。【選択図】図２
0003199347.tif 000002
【実用新案登録請求の範囲】
【請求項１】
シングルベッド用のパッドまたは布団の表面を覆う大きさのシーツ本体１と、シーツ本体１の長手方向の両縁部に備えた該両縁部で折り返し可能な身体を被覆保護するシーツ側片２ａ、２ｂと、シーツ本体１の足下縁部に備えた該足下縁部で折り返し可能な足下を被覆保護するシーツ下端片３とから構成され、シーツ本体１の底面の長手方向の両側部に縫着による担架用棒を挿入できる筒状部４ａ、４ｂを備え、シーツ側片２ａ、２ｂには互いに締着する留め具５ａ、５ｂを取り付け、シーツ下端片３及びシーツ側片２ａ、２ｂにはシーツ下端片３とシーツ側片２ａ、２ｂを締着する留め具６ａ、６ｂを取り付けた担架として使用可能なシーツ。
【請求項２】
留め具５ａ、５ｂ、留め具６ａ、６ｂがベルト、紐或いは面ファスナーである請求項２に記載の担架として使用可能なシーツ。
【考案の詳細な説明】
【技術分野】
【０００１】
本考案は、災害や事故等の緊急時に、ベッドに臥床している人を、移し換えることなく、避難移送させるための担架として使用可能なシーツに関する。
【背景技術】
【０００２】
従来より、ベッドや布団に臥床している歩行が困難な人を緊急時に移動避難させる場合に使用され、臥床している人を移し換えることなく、介護者や側近者等の救助者によってその移動を容易にするためのシーツが提案されている。
【０００３】
例えば、ベッド用のマットまたは布団の上面を覆う敷布の両サイドに、それぞれ複数の開口部を設け、救助者が開口部を把持して臥床している人を載せたまま移動可能とした敷布（特許文献１）、敷布の少なくとも四隅に手を掛ける穴を設け、常時は面ファスナー等で手掛穴を閉じた状態で使い、緊急時は手掛穴を開いて使用する被介護者を載せたまま移動可能とした敷布（特許文献２）の提案がある。
【０００４】
また、人手による移動の負荷を軽減するものとして、ベッド用パッドや布団の表面を覆い、両側から包み込んでパッドや布団の底面に巻き込めることのできる裏敷布に、パッドや布団の表面と同形の表敷布を重ね、重ねた間に把持用の布ベルトを挟んで表敷布の周縁を縫着し、さらに重ねた敷布の長尺方向の両側に縫着による筒状部を形成し、この筒状部に棒を挿入して担架としうる敷布（特許文献３）の提案がある。
【先行技術文献】
【特許文献】
【０００５】
【特許文献１】特開平１１−３１８６６５号公報
【特許文献２】特開２００１−１６１７４９号公報
【特許文献３】特開２０１４−１２８４０６号公報
【考案の概要】
【考案が解決しようとする課題】
【０００６】
本考案の課題は、緊急時に臥床している歩行困難な人を、移し換えることなく、そのまま臥床している状態で移動搬出するため、常時はベッド用のパッドまたは布団の表面を覆うシーツとして通常に使用され、緊急時にはシーツを担架にすることによって、介護者や側近者等の救助者によってその移動搬出を安全で容易にするシーツを提供することにある。
【課題を解決するための手段】
【０００７】
本考案の要旨は、シングルベッド用のパッド（以下、布団を含めパッドという）の表面を覆う大きさのシーツ本体１と、シーツ本体１の長手方向の両縁部に備えた該両縁部で折り返し可能な身体を被覆保護するシーツ側片２ａ、２ｂと、シーツ本体１の足下縁部に備えた該足下縁部で折り返し可能な足下を被覆保護するシーツ下端片３とからなり、シーツ本体１の底面の長手方向の両側部に縫着による担架棒を挿入できる筒状部４ａ、４ｂを備え、シーツ側片２ａ、２ｂ、好ましくはそれらの裏面には互いに締着する留め具５ａ、５ｂを取り付け、シーツ下端片３及びシーツ側片２ａ、２ｂ、好ましくはそれらの裏面にはシーツ下端片３とシーツ側片２ａ、２ｂを締着する留め具６ａ、６ｂを取り付けてなる担架として使用可能なシーツにある。
【考案の効果】
【０００８】
本考案のシーツは、常時はベッド用のパッドの表面を覆うシーツとして通常に使用され、シーツ側片、シーツ下端片はシーツの下にあるパッド或いはマットレスの底面に差し込まれて収納され、災害発生等の緊急時は臥床している人を、パッド或いはマットレスの底面から引き出したシーツ側片で覆って側片同士をベルト等の留め具で締着すると共に、パッド或いはマットレスの底面から引き出した足下のシーツ下端片で臥床している人の足下を覆って足下の下端片を他の側片とベルト等の留め具で締着して、臥床している人の安全性を確保し、各筒状部にそれぞれ担架棒を挿入し、そのまま担架として介護者や側近者等の救助者によって移動搬出させることを可能とする。
【図面の簡単な説明】
【０００９】
【図１】本考案の一例を示したシーツの表側の平面図である。
【図２】図1に示すシーツの裏面図である。
【図３】本考案のシーツを担架として使用する態様図である。
【考案を実施するための形態】
【００１０】
以下、本考案の実施の形態について、詳細に説明する。
本考案のシーツは、シングルベッド用のパッドの表面を覆うことのできる大きさのシーツ本体１に、シーツ本体１の長手方向の両縁部に該両縁部で折り返し可能な身体を被覆保護することができる長さのシーツ側片２ａ、２ｂを備え、さらにシーツ本体１の足下縁部に該足下縁部で折り返し可能な足下を被覆保護することができる長さの保護シーツ側片３を備え、シーツ本体１の底面にシーツの長手方向の両側部に縫着による担架棒を挿入でき、常時は閉じている筒状部４ａ、４ｂを設ける。  
【００１１】
シーツ本体１は、本考案のシーツが常時はベッド用のパッドの表面を覆うシーツとして通常に使用されることから、快適性を有し洗濯できる素材であって、緊急時に担架として臥床している人を支えることができる強度を有する素材で構成する。素材としては、防炎加工が可能な綿のみからなる織布或いは綿にポリエステル繊維やナイロン繊維が混用された綿主体の織布であることが好ましい。
【００１２】
シーツ側片２ａ、２ｂ及びシーツ下端片３は、緊急時に臥床している人の身体及び足下を十分に被覆して固定し移送を安全にするものであるから、シーツ本体１ほどの強度は要するものではないが、シーツ本体１と同様の素材から構成してもよいし、またシーツ側片２ａ、２ｂ及びシーツ下端片３が外側に表れることから、防炎加工が容易な素材で構成し、素材としては綿、ポリエステル繊維、ナイロン繊維、アクリル繊維等からからなる織布であってもよい。
【００１３】
また、シーツ側片２ａ、２ｂ及びシーツ下端片３は、シーツ本体１に縫着等により取り付けられ、常時はパッド或いはさらにマットレスの側面を包みパッド或いはその下部のマットレスの底面に差し込まれ、緊急時にパッド或いはマットレスの底面から引き出して使用される。したがい、シーツ側片２ａ、２ｂ及びシーツ下端片３は、シーツ本体１とは色分け或いは模様を付けておくことは、担架の形成を迅速化するうえで好ましく、また常時はベッド用のパッド或いはさらにマットレスの側面を覆って装飾化するうえでも好ましい。
【００１４】
留め具５ａ、５ｂ、留め具６ａ、６ｂは、ベルト部と受け部、紐と紐、フック部とループ部等のように、対をなす一方を５ａ、他方を５ｂ、また一方を６ａ、他方を６ｂとして、互いに締めて固定し得るものであればよく、好ましくはべルト、紐或いは面ファスナーが挙げられるが、緩みが生じ難く、厚みの薄い形状で、金具等の硬質の部材を含まないものが好ましい。
【００１５】
これらの留め具は、固定作業上だけでなく、外観上からもシーツ側片２ａ、２ｂ、シーツ下端片３のそれぞれの裏面に取り付けることが好ましく、具体的には、留め具５ａ、５ｂの一方をシーツ側片２ａ、２ｂの一方の裏面に、留め具５ａ、５ｂの他方をシーツ側片２ａ、２ｂの他方の裏面に取り付け、留め具６ａ、６ｂの一方をシーツ下端片３の裏面に、留め具６ａ、６ｂの他方をシーツ側片２ａ、２ｂの少なくとも最後に折り返されるシーツ側片の裏面に取り付ける。
また、シーツ側片２ａ、２ｂ、シーツ下端片３のそれぞれの裏面に取り付ける留め具５ａ、５ｂ、留め具６ａ、６ｂは、適宜それらの取り付け箇所を増やしてもよく、各側片及び下端片のそれぞれ２箇所以上に取り付けることが好ましく、また取り付け箇所の位置、留め具の種類をそれぞれ変えてもよい。
【００１６】
本考案のシーツは、緊急時の際は、シーツ側片２ａ、２ｂをパッド或いはマットレスの底面から引き出し、臥床している人の身体を折り返したシーツ側片２ａ、２ｂで覆って包み、外側となった裏面の留め具５ａ、５ｂで固定し、さらにシーツ下端片３をパッド或いはマットレスの底面から引き出し臥床している人の足下を折り返したシーツ下端片３で覆って包み、外側となった裏面の留め具６ａ、６ｂでシーツ側片２ａ、２ｂとそれぞれ締着し足下を固定する。また、臥床している人の身体及び足下の固定は、担架の形成後に行ってもよい。
【００１７】
本考案のシーツは、緊急時の際、シーツ本体１の底面の長手方向の両側部に縫着により形成した筒状部４ａ、４ｂに担架棒をそれぞれ挿入して担架を形成する。担架棒は、それらの長さが筒状部の長さより大で、棒の両端に救助者が握ることのできる長さ部分があり、かつ載せた人の重さに耐える剛性のある棒であればよく、短縮可能な或いは折りたたみ可能な構造のものでもよい。さらに必要により、担架棒と担架棒の幅を固定する固定棒をそれぞれ掛け渡し、担架としての機能性を高めてもよい。また、担架としたときには、救助者による移動搬出を容易にするため、担架棒の握り位置の近傍に、肩に掛けて使用する肩掛け帯を取り付け、救助者の負荷を軽減するようにしてもよい。
【実施例】
【００１８】
以下、本考案を図１に基づき一例をもって具体的に説明する。
シングルベッド面と同形とした幅が９１ｃｍ、長さが１８０ｃｍの木綿１００％平織り組織の織布からなるシーツ本体１の両側に、幅が８５ｃｍ、長さが１５５ｃｍのシーツ本体と同じ織布からなる側片２ａ、２ｂを、またシーツ本体１の下縁に、幅が９１ｃｍ、長さが７５ｃｍのシーツ本体と同じ織布からなる下端片３を、それぞれ縫着して取り付けた。また、側片、下端片を取り付ける前のシーツ本体１の裏面の両側には縫着により担架棒を挿入しうる筒状部４ａ、４ｂを間隔幅６０ｃｍにして形成し、またシーツ本体１に取り付ける前の側片２ａ、２ｂの裏面には留め具のベルト部の受け部５ｂとベルト部５ａを２箇所にそれぞれ対をなすように取り付け、下端片３と側片２ａ、２ｂの裏面には留め具のベルト部６ａとその受け部６ｂを２箇所にそれぞれ対をなすように取り付けた。得られたシーツは、シングルベッドのパッド面にシーツ本体を敷き、側片をそれぞれマットレスの底面に差し込み、また下端片もマットレスの底面に差し込み収納することにより、通常のシーツと同様に使用されるものであった。
【産業上の利用可能性】
【００１９】
本考案のシーツは、病院、介護施設等で使用されるだけでなく、自宅でも使用することができ、緊急時には臥床している歩行困難な人を、移し換えることなく、安全に移動搬出することができる担架として使用可能なるものである。
【符号の説明】
【００２０】
１  シーツ本体
２ａ、２ｂ  シーツ側片  
３  シーツ下端片
４ａ、４ｂ  筒状部
５ａ、５ｂ  留め具
６ａ、６ｂ  留め具
【図１】
0003199347.tif 000003
【図２】
0003199347.tif 000004
【図３】
0003199347.tif 000005
【手続補正書】
【提出日】平成27年6月17日(2015.6.17)
【手続補正１】
【補正対象書類名】実用新案登録請求の範囲
【補正対象項目名】請求項２
【補正方法】変更
【補正の内容】
【請求項２】
留め具５ａ、５ｂ、留め具６ａ、６ｂがベルト、紐或いは面ファスナーである請求項１に記載の担架として使用可能なシーツ。